(57)【要約】【課題】薄型か軽量化の少なくとも一方を実現できる光ディスク装置用支持フレーム及び光ディスク装置を得ることを目的とする。【解決手段】支持フレーム２にはアッパーカバーもボトムカバーもなく、ディスクトレイ１の両側面と後面とを、強度を確保するために切欠きなしで連続的に囲むフレームで構成されていて、さらに支持フレーム２は、アルミニウム材，亜鉛材，マグネシウム材等の金属材料によるダイカスト工法で製造、あるいは、鉄板，アルミニウム板，マグネシウム板等の金属板を用いたプレス工法で製造、あるいは、ＰＰＳ（ポリフェニレンサルファイド），ＰＯＭ（ポリアセタール），ＬＣＰ（液晶ポリマー）等と前記金属板との複合成型で製造、あるいは、アルミニウム材等の金属材料による鍛造工法により、光ディスクドライブ装置全体が操作あるいは動作中に歪んだり、変形したりしない強度が確保されている光ディスクドライブ装置とする。【選択図】図１
2006018941.tif 000002
【特許請求の範囲】
【請求項１】
支持フレームと、前記支持フレームと相対的に移動可能に設けられ前記支持フレームに取り付けられたディスクトレイと、前記ディスクトレイに設けられ光ディスクを回転させる回転駆動部と、前記ディスクトレイに設けられ光を光ディスクに照射することで情報の記録もしくは再生の少なくとも一方を行う光学ヘッドとを備え、前記支持フレームに前記ディスクトレイを格納した際に、前記ディスクトレイの表裏面が表出することを特徴とする光ディスク装置。
【請求項２】
支持フレームは、一対の対向する側方部と、前記一対の側方部を連結する連結部で構成したことを特徴とする請求項１記載の光ディスク装置。
【請求項３】
支持フレームの側方部とディスクトレイの側部の間にレールを設けて前記ディスクトレイと前記支持フレームを移動可能に互いに取り付けられていることを特徴とする請求項２記載の光ディスク装置。
【請求項４】
支持フレームは、略コ字型であり、前記支持フレームの開放部においてディスクトレイが挿抜可能であることを特徴とする請求項１記載の光ディスク装置。
【請求項５】
支持フレームは、立設部と前記立設部に一体に設けられ前記支持フレームの内側に突出した突出部をすくなくとも一部に設けたことを特徴とする請求項１記載の光ディスク装置。
【請求項６】
支持フレームは、側方部及び連結部を一体構成としたことを特徴とする請求項２記載の光ディスク装置。
【請求項７】
支持フレームは、複数の部材を連結して構成したことを特徴とする請求項１記載の光ディスク装置。
【請求項８】
支持フレームは、アルミニウム，亜鉛，マグネシウム，ポリフェニレンサルファイド，ポリアセタール，液晶ポリマーの内少なくとも一つの材料で構成したことを特徴とする請求項１記載の光ディスク装置。
【請求項９】
支持フレームの上面か下面の少なくとも一方にカバーを設けたことを特徴とする請求項１記載の光ディスク装置。
【請求項１０】
カバーの構成材料が鉄，アルミニウム，マグネシウム等の金属であることを特徴とする請求項９記載の光ディスク装置。
【請求項１１】
ディスクカバーの光ディスクが装着される側とは反対側にトレイカバーを設け、前記トレイカバーに隆起部を設けると共に、前記隆起部を避けるように支持フレームに設けられたカバーに開口部を設けたことを特徴とする請求項９記載の光ディスク装置。
【請求項１２】
ディスクトレイを装着可能に保持する光ディスク装置用支持フレームであって、一対の側方部と、前記一対の側方部の間に連結部を設けたことを特徴とする光ディスク装置用支持フレーム。
【請求項１３】
立設部と前記立設部に一体に設けられ内側に突出した突出部をすくなくとも一部に設けたことを特徴とする請求項１２記載の光ディスク装置用支持フレーム。
【請求項１４】
側方部及び連結部を一体構成としたことを特徴とする請求項１２記載の光ディスク装置用
支持フレーム。
【請求項１５】
複数の部材を連結して構成したことを特徴とする請求項１２記載の光ディスク装置用支持フレーム。
【請求項１６】
アルミニウム，亜鉛，マグネシウム，ポリフェニレンサルファイド，ポリアセタール，液晶ポリマーの内少なくとも一つの材料で構成したことを特徴とする請求項１２記載の光ディスク装置用支持フレーム。
【発明の詳細な説明】
【技術分野】
【０００１】
本発明は、パーソナルコンピュータ，モバイルコンピュータ等のＰＣ機器、携帯端末装置、映像機器などに搭載される光ディスク装置用支持フレーム及び光ディスク装置に関するものである。
【背景技術】
【０００２】
ＣＤ−ＲＯＭ、ＣＤ−Ｒ、ＣＤ−ＲＷ等のＣＤ系光ディスクや、ＤＶＤ−ＲＯＭ、ＤＶＤ−Ｒ、ＤＶＤ−ＲＷ、ＤＶＤ−ＲＡＭ等のＤＶＤ系光ディスクや、青色レーザに対応した光ディスクや、その他の光ディスク（以下、光ディスクと略す）からの情報の再生か、光ディスクに情報を記録するか少なくとも一方を行う光ディスク装置が知られている。このような光ディスク装置は、パソコン等のコンピュータ装置に搭載されているが、ノート型パソコンのような小型のパソコンに対しては、光ディスクドライブ装置も小型化、薄型化が図られている。
【０００３】
このような光ディスク装置は、箱状の支持フレームに対し、光ディスクの装填位置と排出位置とを移動可能なディスクトレイを有し、該ディスクトレイを支持フレーム内に収納した状態で、ディスクトレイに設置された光学ヘッドおよびその駆動機構により光ディスクに記録された情報を読み取り、再生するものである。
【０００４】
箱状の支持フレームは、板厚が０．４ｍｍ〜０．５ｍｍの板金を用いて略矩形状に形成した筐体状のボトムカバーに、板厚０．４ｍｍ〜０．５ｍｍの板金を用いて略矩形状に形成した筐体状のアッパーカバーを固定することで構成されている。
【０００５】
なお、従来のノート型パソコン用の光ディスクドライブ装置の構成については、たとえば（特許文献１）（特許文献２）に記載されている。
【特許文献１】特開２００１−３０７４６０号公報
【特許文献２】特開２００３−１５１１９９号公報
【発明の開示】
【発明が解決しようとする課題】
【０００６】
現在、ノート型パソコンにおいては更なる薄型化が望まれており、それに伴い光ディスク装置においても更なる薄型化が要請されているが、従来の光ディスク装置では、ディスクトレイを下面からボトムカバーで覆い、上面からアッパーカバーで覆うという構成であるためにその限界厚さは７．５ｍｍ程度であり、更なる薄型化を図る上で問題を有していた。
【０００７】
また、光ディスク装置は、ノート型パソコンの筐体内部に取付けられるため、ノート型パソコンの内部構成によっては、ボトムカバーやアッパーカバーが不要な場合もあり、ノート型パソコン自体の厚さ低減の妨げになるといった問題を有していた。
【０００８】
更に、電子機器においても軽量化が求められており、その結果電子機器に搭載される光ディスク装置においても、軽量化が求められている。
【０００９】
そこで、本発明は、薄型化（８．０ｍｍ以下）か軽量化の少なくとも一方を実現することができる光ディスク装置用支持フレーム及び光ディスク装置を提供することを目的としている。
【課題を解決するための手段】
【００１０】
この課題を解決するために、支持フレームと、支持フレームと相対的に移動可能に設けられ支持フレームに取り付けられたディスクトレイと、ディスクトレイに設けられ光ディスクを回転させる回転駆動部と、ディスクトレイに設けられ光を光ディスクに照射することで情報の記録もしくは再生の少なくとも一方を行う光学ヘッドとを備え、支持フレームにディスクトレイを格納した際に、ディスクトレイの表裏面が表出する構成とした。
【発明の効果】
【００１１】
本発明によれば、支持フレームでディスクトレイを保持する構成なので、極めて薄い光ディスク装置を構成でき、更にできるだけ余計な部分を取り除いた支持フレームでディスクトレイを支持するので、軽量化をも可能とする。
【発明を実施するための最良の形態】
【００１２】
請求項１記載の発明は、支持フレームと、前記支持フレームと相対的に移動可能に設けられ前記支持フレームに取り付けられたディスクトレイと、前記ディスクトレイに設けられ光ディスクを回転させる回転駆動部と、前記ディスクトレイに設けられ光を光ディスクに照射することで情報の記録もしくは再生の少なくとも一方を行う光学ヘッドとを備え、前記支持フレームに前記ディスクトレイを格納した際に、前記ディスクトレイの表裏面が表出することを特徴とする光ディスク装置であり、支持フレームでディスクトレイを保持する構成なので、極めて薄い光ディスク装置を構成でき、更にできるだけ余計な部分を取り除いた支持フレームでディスクトレイを支持するので、軽量化をも可能とする。
【００１３】
請求項２記載の発明は、支持フレームは、一対の対向する側方部と、前記一対の側方部を連結する連結部で構成したことを特徴とする請求項１記載の光ディスク装置で支持フレームを極めて簡単な構成とすることができる。
【００１４】
請求項３記載の発明は、支持フレームの側方部とディスクトレイの側部の間にレールを設けて前記ディスクトレイと前記支持フレームを移動可能に互いに取り付けられていることを特徴とする請求項２記載の光ディスク装置であり、スムーズにディスクトレイと支持フレームの間の移動を可能とすることができる。
【００１５】
請求項４記載の発明は、支持フレームは、略コ字型であり、前記支持フレームの開放部においてディスクトレイが挿抜可能であることを特徴とする請求項１記載の光ディスク装置であり、極めて簡単な構成とすることができる。
【００１６】
請求項５記載の発明は、支持フレームは、立設部と前記立設部に一体に設けられ前記支持フレームの内側に突出した突出部をすくなくとも一部に設けたことを特徴とする請求項１記載の光ディスク装置であり、支持フレームの断面を略Ｌ字型とすることができるので、支持フレーム自体の機械的強度を向上させることができる。
【００１７】
請求項６記載の発明は、支持フレームは、側方部及び連結部を一体構成としたことを特徴とする請求項２記載の光ディスク装置であり、各部材の連結箇所が無いので、機械的強度を向上でき、更には、生産性などを向上させることができる。
【００１８】
請求項７記載の発明は、支持フレームは、複数の部材を連結して構成したことを特徴とする請求項１記載の光ディスク装置であり、各部材毎に材質を変えたりすることで、例えば部材の一つを機械的強度の強い材質で構成し、他の部材を軽量化可能な材質で構成することができる。あるいは各部材を略棒状に構成できるので、一つの板材などから取れる部材の数を多くできる。
【００１９】
請求項８記載の発明は、支持フレームは、アルミニウム，亜鉛，マグネシウム，ポリフェニレンサルファイド，ポリアセタール，液晶ポリマーの内少なくとも一つの材料で構成したことを特徴とする請求項１記載の光ディスク装置であり、機械的強度をある程度保てたり、或いは軽量化などを行うことができる。
【００２０】
請求項９記載の発明は、支持フレームの上面か下面の少なくとも一方にカバーを設けたことを特徴とする請求項１記載の光ディスク装置であり、防塵効果を上げると共に、支持フレーム自体の機械的強度もあげることができる。
【００２１】
請求項１０記載の発明は、カバーの構成材料が鉄，アルミニウム，マグネシウム等の金属であることを特徴とする請求項９記載の光ディスク装置であり、カバーを設けたとしても、軽量化を実現できる。
【００２２】
請求項１１記載の発明は、ディスクカバーの光ディスクが装着される側とは反対側にトレイカバーを設け、前記トレイカバーに隆起部を設けると共に、前記隆起部を避けるように支持フレームに設けられたカバーに開口部を設けたことを特徴とする請求項９記載の光ディスク装置であり、トレイカバーの隆起部を避けるようにカバーに開口部を設けたことで、隆起部にカバーが乗り上げることはないので、薄型を実現できる。
【００２３】
請求項１２記載の発明は、ディスクトレイを装着可能に保持する光ディスク装置用支持フレームであって、一対の側方部と、前記一対の側方部の間に連結部を設けたことを特徴とする光ディスク装置用支持フレームであり、簡単な構成でディスクトレイを保持する構成なので、極めて薄い光ディスク装置を構成でき、更にできるだけ余計な部分を取り除いた支持フレームでディスクトレイを支持するので、軽量化をも可能とする。
【００２４】
請求項１３記載の発明は、立設部と前記立設部に一体に設けられ内側に突出した突出部をすくなくとも一部に設けたことを特徴とする請求項１２記載の光ディスク装置用支持フレームであり、機械的強度を上げることができる。
【００２５】
請求項１４記載の発明は、側方部及び連結部を一体構成としたことを特徴とする請求項１２記載の光ディスク装置用支持フレームであり、各部材の連結箇所が無いので、機械的強度を向上でき、更には、生産性などを向上させることができる。
【００２６】
請求項１５記載の発明は、複数の部材を連結して構成したことを特徴とする請求項１２記載の光ディスク装置用支持フレームであり、各部材毎に材質を変えたりすることで、例えば部材の一つを機械的強度の強い材質で構成し、他の部材を計量か可能な材質で構成することができる。あるいは各部材を略棒状に構成できるので、一つの板材などから取れる部材の数を多くできる。
【００２７】
請求項１６記載の発明は、アルミニウム，亜鉛，マグネシウム，ポリフェニレンサルファイド，ポリアセタール，液晶ポリマーの内少なくとも一つの材料で構成したことを特徴とする請求項１２記載の光ディスク装置用支持フレームであり、機械的強度向上か軽量化の少なくとも一方を実現できる。
【００２８】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されたものではない。
【００２９】
（実施の形態１）
図１は本発明の実施の形態１における光ディスク装置のディスクトレイが排出位置にある斜視図、図２は図１の光ディスクドライブ装置のディスクトレイが装填位置にある斜視図、図３は図１の光ディスクドライブ装置のディスクトレイが排出位置にあるときのレール側の部分拡大斜視図、図４は図１の光ディスクドライブ装置のディスクトレイが排出位置にあるときのレール側の裏面からの部分拡大斜視図、図５は図１の光ディスクドライブ装置のディスクトレイが排出位置にあるときのレール側の部分拡大斜視図、図６は図１の光ディスクドライブ装置のディスクトレイが排出位置にあるときのレール側の裏面からの部分拡大斜視図である。
【００３０】
図１に示すように、１はディスクトレイ、２は支持フレームで、支持フレーム２にはアッパーカバーもボトムカバーもなく、ディスクトレイ１の両側面と後面とを、強度を確保するために切欠きなしで連続的に囲むフレームのみで構成されていて、さらに支持フレーム２は、アルミニウム材，亜鉛材，マグネシウム材等の金属材料によるダイカスト工法で製造、あるいは、鉄板，アルミニウム板，マグネシウム板等の金属板を用いたプレス工法で製造、あるいは、ＰＰＳ（ポリフェニレンサルファイド），ＰＯＭ（ポリアセタール），ＬＣＰ（液晶ポリマー）等と前記金属板との複合成型で製造、あるいは、アルミニウム材等の金属材料による鍛造工法により、光ディスクドライブ装置全体が操作あるいは動作中に歪んだり、変形したりしない強度が確保されている。３は光ディスク（図示せず）を装着して回転させる回転駆動機構、４は光ディスクの径方向に移動可能に設置された光学ヘッド、５はフィードモータ（図示せず）を備え、該フィードモータの駆動により光学ヘッド４を光ディスクの径方向に所定の移動範囲で移動させる光学ヘッド移動機構である。６はディスクトレイ１の左側面に係合し、しかもディスクトレイ１に対して所定の範囲で移動可能に係止され、さらには支持フレーム２の左側面内側に係合し、しかも支持フレーム２に対して所定の範囲で移動可能に係止されているレール、７はディスクトレイ１の右側面に係合し、しかもディスクトレイ１に対して所定の範囲で移動可能に係止され、さらには支持フレーム２の右側面内側に係合し、しかも支持フレーム２に対して所定の範囲で移動可能に係止されているレール、８は外部装置（図示せず）との情報をやり取りするためのインターフェイスコネクタ、９は可撓性を有するプリント基板で、プリント基板９はディスクトレイ１の裏面に搭載された制御基板（図示せず）とインターフェイスコネクタ８とを電気的に接続している。このとき、プリント基板９は、支持フレーム２の後方裏面からインターフェイスコネクタ８のある支持フレーム２の後方表面まで、支持フレーム２の表面を乗越える形態となっている。また、制御基板には集積回路等（図示せず）の電子部品が各種実装されていて、光ディスク装置と外部装置間の全ての情報処理が行われている。
【００３１】
図２に示すように、１０はイジェクトボタンである。ディスクトレイ１が装填位置にあるときは、プリント基板９は、ディスクトレイ１内の所定の箇所（図示せず）に収納される。
【００３２】
図３に示すように、１１は支持フレーム２に設けられたレール６を係止するための係止爪、１２はレール６の後端に設けられた鍵状部である。
【００３３】
図４に示すように、２１ａはディスクトレイ１に設けられたレール６を係止するための係止爪、６ｂはレール６の前端に設けられた鍵状部である。
【００３４】
図５に示すように、１５は支持フレーム２に設けられたレール７を係止するための係止爪、１６はレール７の後端に設けられた鍵状部である。
【００３５】
図６に示すように、１７はディスクトレイ１に設けられたレール７を係止するための係止爪、１８はレール７の前端に設けられた鍵状部である。
【００３６】
次に各部について詳細に説明する。
【００３７】
ディスクトレイ１は、好ましくは樹脂材料などで構成されており、光ディスクが装着される光ディスク装着領域１ａと、光ディスク装着領域１ａの外に光ディスク装着領域よりも一段高くなった段差部１ｂが設けられている。光ディスク装着領域１ａはほぼ円形で構成されており、しかも光ディスク装置に装着可能な最大径の光ディスクよりもやや大きくなるように構成されている。ディスクトレイには更に開口部１ｃが設けられており、この開口部１ｃから光学ヘッド移動機構５の少なくとも一部が表出されており、この光学ヘッド移動機構５とディスクトレイ１は図示していないが、ダンパ材を介してネジ止めなどで固定されている。光学ヘッド移動機構５は少なくとも金属板や樹脂などで構成された図示していない保持体に、図示していない各軸によって移動可能に保持された光学ヘッド４や、前記各軸の一つである駆動軸を回転させる図示していないフィードモータや、スピンドルモータに代表される回転駆動機構が取り付けられて構成されている。本実施の形態では、図１に示すように、各部を覆い樹脂や金属板で構成されたカバー５ａを更に設けている。
【００３８】
ディスクトレイ１は全体として外形が略方形上に構成され、しかも前端面にはベゼル１ｄが係合手段やネジ止めなどの接合手段あるいは接着剤などの接着手段によって取り付けられている。
【００３９】
次に支持フレーム２について説明する。
【００４０】
支持フレーム２は基本的にレール６が取り付けられる側方部２ａと、側方部２ａに対向して設けられレール７が取り付けられる側方部２ｂと側方部２ａ，２ｂを後端部で連結する連結部２ｃを少なくとも有している。本実施の形態では、側方部２ａ，２ｂは基本的に略平行関係で設けられ、しかも連結部２ｃは側方部２ａ，２ｂとは略垂直に交差している。なお、図１に示す実施の形態では、側方部２ｂにおいて、側方部２ａと略平行な平行部２ｅと、側方部２ａに対して傾斜した傾斜部２ｄとを含んでいる。
【００４１】
支持フレーム２は全体としてコ字型に形成されており、開放部２ｆからディスクトレイ１が出入りする構成となる。
【００４２】
また、支持フレーム２を構成する各部においては、具体的に連結部２ｃを一例にとって説明すると、連結部２ｃは少なくとも立設部２ｇと支持フレーム２の内方に突出するように構成された突出部２ｈとを有している。側方部２ａ，２ｂも同様の構成となっている。
【００４３】
なお、本実施の形態では、支持フレーム２のほぼ全領域において、略Ｌ字型としたが、例えば、側方部２ａ，２ｂは、突出部２ｈを設けず、連結部２ｃのみに突出部２ｈを設けるなど、様々な形態を取ることができるし、また、側方部２ａ，２ｂ及び連結部２ｃの少なくとも一つの部材において、少なくとも一部分に突出部２ｈを設ける構成としても良い。
【００４４】
また、本実施の形態では、側方部２ａ，２ｂと連結部２ｃそれぞれの立設部の上面と開放部２ｆで囲まれる面積をＳ１とし、その反対側における側方部２ａ，２ｂ及び連結部２ｃと開放部２ｆで囲まれる面積をＳ２としたとき、Ｔ＝Ｓ２÷Ｓ１と定義されるＴについて０＜Ｔ≦１となるように構成されている。即ち、Ｔ＝１の場合は、支持フレーム２の上面と下面における開口面積が等しいときであり、Ｔ＜１の時は基本的に突出部２ｈがある程度の面積有しており、支持フレーム２の下面において、開口面積が上面側よりも狭いことを示している。また、従来の技術では、Ｔ＝０すなわち、下面側において、Ｓ２＝０（
開口面積がない）となる。従って、より好ましい例といては、０．７８＜Ｔ＜０．９５となるように突出部２ｈを支持フレーム２に設ける。
【００４５】
なお、図３等に示すように、支持フレーム２の上面側においても、レール６を保持するように突出部２ｈ，２ｉが設けられている。従来であれば、このレール６を保持するレール保持部材を取り付けるが、本実施の形態の一例として、非常に薄い光ディスク装置（ベゼル１ｄを除いた厚みが９ｍｍ以下）を想定した場合には、レール６が直接支持フレーム２に支持される。また、側方部２ａの突出部２ｈには係止爪１１が側方部２ａを構成する立設部２ｇに沿って設けられ、更には、図３に示すように、レール６を移動可能に保持するガイド爪１１ａが側方部２ａの突出部２ｈに設けられており、少なくとも突出部２ｈ，２ｉ及びガイド爪１１ａによってレール６は支持フレーム２に移動可能に取り付けられている。なお、本実施の形態では、支持フレーム２の上面において突出部２ｈ，２ｉの２つを設けてレール６を保持したが、一つの突出部でも良い。また、レール６を保持する突出部はできるだけディスクトレイ１の移動方向に沿って長く形成した方が好ましい。また、支持フレーム２の下面において、ガイド爪１１ａと係止爪１１にてレール６を保持したが、少なくとも一つの爪でレール６を保持しても良く、また、係止爪１１の代わりに、別途レール６を保持しない係止部材を設けても良い。同様に支持フレーム２の下面においても、できるだけレール６を保持する部材（爪）はディスクトレイ１の移動方向に沿って長いことが好ましい。
【００４６】
レール６と支持フレーム２の間の摺動性を良くするように、フッ素樹脂などの潤滑性のある材料をレール６もしくは支持フレーム２のレール６が摺動する部分の少なくとも一方に設けても良い。
【００４７】
図４及び図１１に示すように断面略Ｃ字型のレール６はディスクトレイ１の側部に設けられたレール取付部１ｅに取り付けられており、レール６の端部には凹部６ａが切り欠き状に設けられており、凹部６ａを挟んで、トレイカバー２１側であって、しかもディスクトレイ１の厚み方向に伸びた保持部６ｂ，６ｃが設けられている。保持部６ｂはレールの先端側に設けられている。保持部６ｃは保持部６ｂよりも長く形成され、レール６をレール取付部１ｅに確実に取り付けられる構成となっている。また、トレイカバー２１にはレール６側に延設された係止爪２１ａが設けられている。係止爪２１ａはディスクトレイ１のレール６が取り付けられている側に設けられた窪み部１ｇの端部に設けられており、しかも係止爪２１ａは窪み部１ｇに連接し窪み部１ｇよりも一段高くなった段部１ｆとほぼ面一になるような厚みで形成される。また、保持部６ｂの高さＳ１は保持部６ｃの高さＳ２よりも高く形成されており、保持部６ｃは係止爪２１ａに引っかかることなく構成されている。また、保持部６ｂは図１１に示すように、係止爪２１ａの端部に少なくとも一瞬当接しレール６に移動を規制している。
【００４８】
本実施の形態では、係止爪２１ａをトレイカバー２１と一体に設け、しかもトレイカバー２１を金属などの比較的機械的強度の高い材料で構成することで、レールと延設部が衝突を繰り返しても、双方の少なくとも一方が損傷することはほとんど無くなる。また、本実施の形態では、係止爪２１ａをトレイカバー２１と一体に設けたが、ディスクトレイ１にストッパー（係止爪２１ａに相当する部分）などを設けたり、或いはディスクトレイ１やトレイカバー２１とは別部材（ネジ部材等をディスクトレイ１にねじ込む等）で延設部の代わりとしても良い。
【００４９】
また、図５に示すように、支持フレーム２の側方部２ｂにおいては、レール７はレール６よりも短く構成されている。これは、側方部２ｂ側は、本実施の形態において、図１に示すように傾斜部２ｄを有しており、この傾斜部２ｄを設けた分レール７はレール６よりも短く構成されている。また、側方部２ｂに一体に設けられた係止爪１５の位置は、レー
ル７を短く形成したことで、レール６側の係止爪１１の位置よりも開放部２ｆ側に設けられている。また、係止爪１５は側方部２ｂの立設部２ｇに沿って立設されており、側方部２ｂの立設部２ｇに対して略垂直に支持フレーム２の内方に向かって伸びた突出部２ｊとともにレール７を移動自在に係止している。レール７においては、ディスクトレイ１の端部１ｈ側において装着された光ディスクとの衝突を防止するように、レール６よりも幅を狭くしている。従って、突出部２ｊは側方部２ｂの立設部２ｇの途中から（或いは立設部２ｇの上下に隙間を設けて）設けられている。
【００５０】
レール７の先端に設けられた鍵状部１６が係止爪１５に少なくとも一瞬当接することで、レール７の移動が規制される。
【００５１】
なお、本実施の形態では、レール６，７の長さや幅を異ならせたが、傾斜部２ｄ等を設けない場合や或いは光ディスクとの衝突を防止する必要がない場合は、レール６，７を同一大きさとしても良い。
【００５２】
更に、側方部２ｂには係止部３０が一体に設けられており、この係止部３０は、図５に示される様に（一部透視図）回動軸３１を中心に鍵部３２と係合し、ディスクトレイ１は、支持フレーム２に保持される。また、イジェクトスイッチ１０の押圧によって、図示しないソレノイドなどが駆動し、鍵部３２を回動させ、鍵部３２と係止部３０の係合が外れ、図示していないバネなどの弾性部材によって、支持フレーム２からディスクトレイ１が少なくとも一部分飛びだす構成となっている。或いはベゼル１ｄに設けられた孔１ｉにピンなどを差し込んで、鍵部３２を直接回動させて、鍵部３２と係止部３０の係合を外すこともできる。
【００５３】
また、レール７のディスクトレイ１側においても図１２に示すように、トレイカバー２１と一体になった延設部２１ｂが設けられている。また、レール７においてもレール６に示す構成と同じように凹部７ａが設けられ、その凹部７ａを挟んで保持部７ｂ，７ｃが設けられ、保持部７ｂの内端部が延設部２１ｂに少なくとも一瞬当接し、レール７の移動を規制する。
【００５４】
なお、本実施の形態では支持フレーム２を図１に示すような構成としたが、図１３に示すように傾斜部２ｄを設けない、コ字型状に構成しても良く、更には図１４に示すように連結部２ｃを後端部ではなく、連結部２ｃを側方部２ａ，２ｂの途中部分に設けたり、或いは、図１５に示すように連結部２ｃを側方部２ａ，２ｂの途中部分に複数本設けても良く、この場合には図１４に示す構造よりも機械的強度を増すことができる。
【００５５】
更に、本実施の形態では、支持フレーム２を一体形成して、側方部２ａ，２ｂと連結部２ｃを連続構造としたが、図１６に示すように、側方部２ａ，側方部２ｂ，傾斜部２ｄを含んだ連結部２ｃをそれぞれ個別に構成し、それら各部を接着，溶接，ネジ止めなどの接合手段にて固定することで、支持フレーム２を構成しても良い。また、傾斜部２ｄを側方部２ｂと一体に形成し、連結部２ｃを棒状として構成して、各部を連結して構成しても良い。
【００５６】
次に、以上のように構成された光ディスクドライブ装置のディスクトレイの装填・排出動作について、図１から図６を用いて説明する。
【００５７】
まず、ディスクトレイ１の排出動作は、利用者がイジェクトボタン１０を押下することで、図示していないロック解除機構によって、支持フレーム２からディスクトレイ１がわずかに飛び出し、ディスクトレイ１を支持フレーム２から排出可能となる状態にすることができ、さらに利用者の手によりディスクトレイ１の前面部をもって前面に引出すことに
より、回転駆動機構３への光ディスクの出し入れが可能になる。このとき、ディスクトレイ１は、係止爪２１ａと係止爪１７とが鍵状部６ｂと鍵状部１８とに当接するまでレール６とレール７上を摺動し、レール６とレール７とは、係止爪１１と係止爪１５とが鍵状部１２と鍵状部１６とに当接するまで支持フレーム２の側面両内側上を摺動するので、所定の位置までしか排出されない。
【００５８】
次に、ディスクトレイ１の装填動作は、利用者がディスクトレイ１の前面部を押し込むことによって、ディスクトレイ１がレール６とレール７上を摺動し、レール６とレール７とは、支持フレーム２の側面両内側上を摺動することで、支持フレーム２内に装填され、図示していないロック機構によって保持される。
【００５９】
このように、本実施の形態によれば、支持フレーム２が、ディスクトレイ１を装填時に両側面と後面とを連続的に囲むフレームで構成されるので、ディスクトレイ１を下面からボトムカバーで覆い、更に上面からアッパーカバーで覆うという従来構成をとる必要がなくなり、従来構成では限界であった厚さ９ｍｍ以下好ましくは７．５ｍｍ以下の光ディスクドライブ装置を構成できる。
【００６０】
また、支持フレーム２の両側面内側形状が、従来の樹脂製レールガイド形状を兼用するため、レール６やレール７を直接支持フレーム２に対して所定の範囲で移動可能に係止することが可能となり、重量やコストを低減できる。
【００６１】
（実施の形態２）
図７は本発明の実施の形態２におけるアッパーカバー付き光ディスクドライブ装置の斜視図、図８は本発明の実施の形態２におけるボトムカバー付き光ディスクドライブ装置の裏面からの斜視図、図９は本発明の実施の形態２におけるアッパーカバーおよびボトムカバー付き光ディスクドライブ装置の斜視図、図１０は図９のＡ−Ａに沿った部分断面図である。
【００６２】
図７に示すように、１９はアッパーカバーである。
【００６３】
図８に示すように、２０はボトムカバー、２１はディスクトレイを裏面から保護するトレイカバーである。
【００６４】
図１０に示すように、２２は導電性接着剤である。
【００６５】
次に、以上のように構成された光ディスクドライブ装置へのアッパーカバーおよびボトムカバーの固定について、図７から図１０を用いて説明する。
【００６６】
アッパーカバー１９やボトムカバー２０は、ノート型パソコンの内部構成や、防塵，組付け作業性といった要望にあわせ、図７のようにアッパーカバー１９のみ支持フレーム２に装着したり、図８のようにボトムカバー２０のみ支持フレーム２に装着したり、あるいは図９のようにアッパーカバー１９とボトムカバー２０との両方を支持フレーム２に装着が可能である。このようにアッパーカバー１９やボトムカバー２０は選択的に支持フレーム２に装着可能であるが、アッパーカバー１９やボトムカバー２０に電気的ノイズが保持されることで光ディスクドライブ装置の回路が破壊されることを防止する必要がある。そのためにアッパーカバー１９やボトムカバー２０の材質を、鉄，アルミニウム，マグネシウム等の金属とし、さらに支持フレーム２への固定を図１０のようにシート状や液状の導電性接着剤２２、あるいは、図示していないがレーザやスポット等の溶接、あるいは、カシメ等で行い、アースグランド（接地）を確保している。また光ディスクドライブ装置全体の操作あるいは動作中の強度は支持フレーム２で確保されているため、アッパーカバー
１９やボトムカバー２０の板厚を従来板厚の０．４ｍｍ〜０．５ｍｍより薄い、例えば０．３ｍｍとすることが可能で、アッパーカバー１９やボトムカバー２０を取付けても、光ディスクドライブ装置の光ディスクの情報記録面に対する垂直方向の厚さは従来より抑えることが可能である。
【００６７】
このように、本実施の形態によれば、光ディスクドライブ装置の強度が支持フレームで確保されているので、ノート型パソコンの内部構成や、防塵，組付け作業性といった要望にあわせアッパーカバー１９やボトムカバー２０を選択的に装着することができる。
【００６８】
また、アッパーカバーやボトムカバーを装着しても、光ディスクドライブ装置の強度が支持フレームで確保されているので、その板厚を従来板厚の０．４ｍｍ〜０．５ｍｍより薄くすることが可能となり、光ディスクドライブ装置の厚さを薄くできる。
【００６９】
また、図１７に示すように、軽量化や薄型のためにトレイカバー２１に所定形状の隆起部２１ｚを設けた場合、この隆起部２１ｚと近似あるいは相似形の切り欠き部を設けたボトムカバー２０を支持フレーム２に取り付けることで、トレイカバー２１の隆起部２１ｚ以外の部分を覆う構成とすることもできる。
【産業上の利用可能性】
【００７０】
本発明は、支持フレームでディスクトレイを保持する構成なので、極めて薄く、更にできるだけ余計な部分を取り除いた支持フレームでディスクトレイを支持するので、軽量化をも可能とする光ディスク装置に適応可能である。
【図面の簡単な説明】
【００７１】
【図１】本発明の実施の形態１における光ディスクドライブ装置のディスクトレイが排出位置にある斜視図
【図２】図１の光ディスクドライブ装置のディスクトレイが装填位置にある斜視図
【図３】図１の光ディスクドライブ装置のディスクトレイが排出位置にあるときのレール側の部分拡大斜視図
【図４】図１の光ディスクドライブ装置のディスクトレイが排出位置にあるときのレール側の裏面からの部分拡大斜視図
【図５】図１の光ディスクドライブ装置のディスクトレイが排出位置にあるときのレール側の部分拡大斜視図
【図６】図１の光ディスクドライブ装置のディスクトレイが排出位置にあるときのレール側の裏面からの部分拡大斜視図
【図７】本発明の実施の形態２におけるアッパーカバー付き光ディスクドライブ装置の斜視図
【図８】本発明の実施の形態２におけるボトムカバー付き光ディスクドライブ装置の裏面からの斜視図
【図９】本発明の実施の形態２におけるアッパーカバーおよびボトムカバー付き光ディスクドライブ装置の斜視図
【図１０】図９のＡ−Ａに沿った部分断面図
【図１１】図４の光ディスクドライブ装置のディスクトレイが排出位置にあるときのレール側の裏面からの部分拡大斜視図
【図１２】図６の光ディスクドライブ装置のディスクトレイが排出位置にあるときのレール側の裏面からの部分拡大斜視図
【図１３】本発明の他の実施の形態における光ディスク装置を示す斜視図
【図１４】本発明の他の実施の形態における光ディスク装置を示す斜視図
【図１５】本発明の他の実施の形態における光ディスク装置を示す斜視図
【図１６】本発明の他の実施の形態における光ディスク装置を示す斜視図
【図１７】本発明の他の実施の形態における光ディスク装置を示す斜視図
【符号の説明】
【００７２】
１    ディスクトレイ
２    支持フレーム
３    回転駆動機構
４    光学ヘッド
５    光学ヘッド移動機構
６    レール
６ｂ    鍵状部
７    レール
８    インターフェイスコネクタ
９    プリント基板
１０    イジェクトボタン
１１    係止爪
１２    鍵状部
１５    係止爪
１６    鍵状部
１７    係止爪
１８    鍵状部
１９    アッパーカバー
２０    ボトムカバー
２１    トレイカバー
２１ａ    係止爪
【図１】
2006018941.tif 000003
【図２】
2006018941.tif 000004
【図３】
2006018941.tif 000005
【図４】
2006018941.tif 000006
【図５】
2006018941.tif 000007
【図６】
2006018941.tif 000008
【図７】
2006018941.tif 000009
【図８】
2006018941.tif 000010
【図９】
2006018941.tif 000011
【図１０】
2006018941.tif 000012
【図１１】
2006018941.tif 000013
【図１２】
2006018941.tif 000014
【図１３】
2006018941.tif 000015
【図１４】
2006018941.tif 000016
【図１５】
2006018941.tif 000017
【図１６】
2006018941.tif 000018
【図１７】
2006018941.tif 000019